【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】  正の屈折力を有し、広角端から望遠端にかけて変倍する際に物体側にのみ移動する移動レンズ群Ｂと、前記移動レンズ群Ｂよりも物体側に配され、負の屈折力を有し、前記変倍時に固定である変倍時固定レンズ群Ａとを有し、
前記移動レンズ群Ｂは、物体側から順に、正レンズと正レンズと負レンズの３枚のレンズにて構成されていることを特徴とするズームレンズ。
【請求項２】  前記移動レンズ群Ｂ中の前記負レンズは、物体側に隣接する前記正レンズと接合されていることを特徴とする請求項１記載のズームレンズ。
【請求項３】  正の屈折力を有し、広角端から望遠端にかけて変倍する際に物体側にのみ移動する移動レンズ群Ｂと、前記移動レンズ群Ｂよりも物体側に配され、負の屈折力を有し、前記変倍時に固定である変倍時固定レンズ群Ａとを有し、
前記移動レンズ群Ｂは、物体側から順に、正レンズと負レンズと正レンズの３枚のレンズにて構成されていることを特徴とするズームレンズ。
【請求項４】  前記移動レンズ群Ｂ中の前記負レンズは、物体側又は像側に隣接する前記正レンズと接合されていることを特徴とする請求項３記載のズームレンズ。
【請求項５】  前記移動レンズ群Ｂの像側に可変空気間隔を介して第３のレンズ群Ｃを有することを特徴とする請求項１から４の何れか１項記載のズームレンズ。
【請求項６】  正の屈折力を有し、広角端から望遠端にかけて変倍する際に物体側にのみ移動する移動レンズ群Ｂと、前記移動レンズ群Ｂよりも物体側に配され、負の屈折力を有し、前記変倍時に固定である変倍時固定レンズ群Ａとを有し、
前記移動レンズ群Ｂの像側に可変空気間隔を介して配される第３のレンズ群Ｃを有し、前記移動レンズ群Ｂは、正レンズと負レンズの２枚のレンズにて構成され、前記第３のレンズ群Ｃは、物体側から順に、正レンズ、正レンズ、負レンズの３枚のレンズにて構成されていることを特徴とするズームレンズ。
【請求項７】  前記第３のレンズ群Ｃの前記負レンズは、物体側に隣接する前記正レンズと接合されていることを特徴とする請求項６記載のズームレンズ。
【請求項８】  正の屈折力を有し、広角端から望遠端にかけて変倍する際に物体側にのみ移動する移動レンズ群Ｂと、前記移動レンズ群Ｂよりも物体側に配され、負の屈折力を有し、前記変倍時に固定である変倍時固定レンズ群Ａとを有し、
前記移動レンズ群Ｂの像側に可変空気間隔を介して配される第３のレンズ群Ｃを有し、前記移動レンズ群Ｂは、正レンズと負レンズの２枚のレンズにて構成され、前記第３のレンズ群Ｃは、物体側から順に、正レンズ、負レンズ、正レンズの３枚のレンズにて構成されていることを特徴とするズームレンズ。
【請求項９】  前記移動レンズ群Ｂ中の前記負レンズは、物体側又は像側に隣接する前記正レンズと接合されていることを特徴とする請求項８記載のズームレンズ。
【請求項１０】  前記変倍時又は合焦動作時において移動するレンズ群は、ズームレンズ全体で前記移動レンズ群Ｂを含めて２つのレンズ群のみであることを特徴とする請求項５から９の何れか１項記載のズームレンズ。
【請求項１１】  前記第３のレンズ群Ｃは合焦動作時に移動することを特徴とする請求項５から１０の何れか１項記載のズームレンズ。
【請求項１２】  前記第３のレンズ群Ｃは正の屈折力を有することを特徴とする請求項５から１１の何れか１項記載のズームレンズ。
【請求項１３】  前記第３のレンズ群Ｃよりも像側に非球面を有する第４のレンズ群Ｄを有することを特徴とする請求項５から１２の何れか１項記載のズームレンズ。
【請求項１４】  前記第４のレンズ群Ｄは、前記変倍時及び合焦動作時には固定されていることを特徴とする請求項１３記載のズームレンズ。
【請求項１５】  前記変倍時固定レンズ群Ａは光路を折り曲げる反射光学素子を有することを特徴とする請求項１から１４の何れか１項記載のズームレンズ。
【請求項１６】  前記光路を折り曲げる反射光学素子はプリズムであることを特徴とする請求項１５記載のズームレンズ。
【請求項１７】  前記プリズムの透過面の中少なくとも一面が曲率を有するレンズ面であることを特徴とする請求項１６記載のズームレンズ。
【請求項１８】  前記プリズムは最も物体側に配置されていることを特徴とする請求項１６又は１７記載のズームレンズ。
【請求項１９】  前記プリズムは入射面が物体側に凹面を向けていることを特徴とする請求項１６から１８の何れか１項記載のズームレンズ。
【請求項２０】  前記プリズムは入射面が非球面であることを特徴とする請求項１６から１９の何れか１項記載のズームレンズ。
【請求項２１】  前記プリズムの射出面が平面であることを特徴とする請求項１６から２０の何れか１項記載のズームレンズ。
【請求項２２】  前記変倍時固定レンズ群Ａは、物体側から順に、物体側に凸面を向けた負メニスカスレンズを有する物体側副群Ａ１、前記反射光学素子、正レンズを含む像側副群Ａ２とからなることを特徴とする請求項１５記載のズームレンズ。
【請求項２３】  前記変倍時固定レンズ群Ａは、物体側に凹面を向けた透過面を有する光路を折り曲げるプリズムＡ１と、少なくとも正レンズを含む副群Ａ２とからなることを特徴とする請求項１５記載のズームレンズ。
【請求項２４】  以下の条件式（１）、（２）を満足することを特徴とする請求項１から２３の何れか１項記載のズームレンズ。
（１）    ０．９＜−ｆA ／√（ｆW ・ｆT ）＜２．０
（２）    １．０＜ｆB ／√（ｆW ・ｆT ）＜３．０
ただし、ｆA 、ｆB はそれぞれレンズ群Ａ、Ｂの焦点距離、ｆW 、ｆT はそれぞれズームレンズ全系の広角端、望遠端の焦点距離である。
【請求項２５】  以下の条件式（３）を満足することを特徴とする請求項２４記載のズームレンズ。
（３）    ０．９＜log γB ／log γ＜１０
ただし、γ、γB はそれぞれ、
γ＝ｆT ／ｆW 
γB ＝望遠端におけるレンズ群Ｂの倍率／広角端におけるレンズ群Ｂの倍率とする。
【請求項２６】  前記移動レンズ群Ｂが、物体側から順に、前記正レンズである物体側レンズ成分と前記接合された接合レンズである像側レンズ成分とからなることを特徴とする請求項２記載のズームレンズ。
【請求項２７】  以下の条件式（４）を満足することを特徴とする請求項２６記載のズームレンズ。
（４）    ０．２５＜Ｒ22R ／Ｒ22F ＜０．９５
ただし、Ｒ22F 、Ｒ22R はそれぞれレンズ群Ｂの像側レンズ成分の最も物体側の面、最も像側の面の光軸上曲率半径である。
【請求項２８】  請求項２７記載のズームレンズと、その像側に配された電子撮像素子とを有し、以下の条件式（５）、（６）を満足することを特徴とする電子撮像装置。
（５）    −１．０＜Ｌ／Ｒ22C ＜０．８
（６）    １４＜ν22F −ν22R 
ただし、Ｒ22C はレンズ群Ｂの像側レンズ成分の接合面の光軸上における曲率半径、Ｌは使用する電子撮像素子の有効撮像領域の対角長、ν22F 、 ν22R はそれぞれレンズ群Ｂの像側レンズ成分の正レンズ、負レンズの媒質のｄ線基準でのアッベ数である。
【請求項２９】  広角端画角が５５°以上を有することを特徴とする請求項２８記載の電子撮像装置。
【請求項３０】  請求項２７記載のズームレンズと、その像側に配された電子撮像素子とを有し、以下の条件式（７）、（８）を満足することを特徴とする電子撮像装置。
（７）    −１．６＜（Ｒ21F ＋Ｒ21R ）／（Ｒ21F −Ｒ21R ）＜１．２
（８）    −１．２＜Ｌ／ｆ2R＜０．１
ただし、Ｒ21F 、Ｒ21R はそれぞれ移動レンズ群Ｂの物体側レンズ成分における最物体側面、最像側面の光軸上の曲率半径、Ｌは電子撮像素子の有効撮像領域の対角長、ｆ2Rは移動レンズ群Ｂの像側レンズ成分の焦点距離である。
【請求項３１】  以下の条件式（９）を満足することを特徴とする請求項２６記載のズームレンズ。
（９）    ０．６＜Ｒ21R ／Ｒ21F ＜１．０
ただし、ただし、Ｒ21F 、Ｒ21R はそれぞれ移動レンズ群Ｂの物体側レンズ成分の物体側の面、像側の面の光軸近傍の曲率半径である。
【請求項３２】  請求項３１記載のズームレンズと、その像側に配された電子撮像素子とを有し、以下の条件式（１０）、（１１）を満足することを特徴とする電子撮像装置。
（10）    −１．６＜Ｌ／Ｒ22C ＜−０．４
（11）    ２０＜ν22F −ν22R 
ただし、Ｒ22C はレンズ群Ｂの像側レンズ成分の接合面の光軸上における曲率半径、Ｌは使用する電子撮像素子の有効撮像領域の対角長、ν22F 、 ν22R はそれぞれレンズ群Ｂの像側レンズ成分の正レンズ、負レンズの媒質のｄ線基準でのアッベ数である。
【請求項３３】  広角端画角が５５°以上を有することを特徴とする請求項３２記載の電子撮像装置。
【請求項３４】  請求項３１記載のズームレンズと、その像側に配された電子撮像素子とを有し、以下の条件式（１２）、（１３）を満足することを特徴とする電子撮像装置。
（12）    −１．５＜（Ｒ22F ＋Ｒ22R ）／（Ｒ22F −Ｒ22R ）＜０．２
（13）    ０．０５＜Ｌ／ｆ2R＜０．５
ただし、Ｒ22F 、Ｒ22R はそれぞれレンズ群Ｂの像側レンズ成分の最も物体側の面、最も像側の面の光軸上曲率半径、Ｌは電子撮像素子の有効撮像領域の対角長、ｆ2Rは移動レンズ群Ｂの像側レンズ成分の焦点距離である。
【請求項３５】  前記第３のレンズ群Ｃが、物体側より、前記正レンズである物体側レンズ成分と前記接合された接合レンズである像側レンズ成分からなることを特徴とする請求項７記載のズームレンズ。
【請求項３６】  以下の条件式（４Ｃ）を満足することを特徴とする請求項３５記載のズームレンズ。
（4C）    ０．２５＜Ｒ32R ／Ｒ32F ＜０．７５
ただし、Ｒ32F 、Ｒ32R はそれぞれ第３のレンズ群Ｃの像側レンズ成分の最物体側面、最像側面の光軸上曲率半径である。
【請求項３７】  請求項３６記載のズームレンズと、その像側に配された電子撮像素子とを有し、以下の条件式（５Ｃ）、（６Ｃ）を満足することを特徴とする電子撮像装置。
（5C）    −１．０＜Ｌ／Ｒ32C ＜０．６
（6C）    １４＜ν32F −ν32R 
ただし、Ｒ32C は第３のレンズ群Ｃの像側レンズ成分の接合面の光軸上における曲率半径、Ｌは使用する電子撮像素子の有効撮像領域の対角長、ν32F 、 ν32R はそれぞれ第３のレンズ群Ｃの像側レンズ成分の正レンズ、負レンズの媒質のｄ線基準でのアッベ数である。
【請求項３８】  広角端画角が５５°以上を有することを特徴とする請求項３７記載の電子撮像装置。
【請求項３９】  請求項３６記載のズームレンズと、その像側に配された電子撮像素子とを有し、以下の条件式（７Ｃ）、（８Ｃ）を満足することを特徴とする電子撮像装置。
（7C）    −１．６＜（Ｒ31F ＋Ｒ31R ）／（Ｒ31F −Ｒ31R ）＜０．４
（8C）    −１．２＜Ｌ／ｆ3R＜−０．１
ただし、Ｒ31F 、Ｒ31R はそれぞれ第３のレンズ群Ｃの物体側レンズ成分における最物体側面、最像側面の光軸上の曲率半径、Ｌは電子撮像素子の有効撮像領域の対角長、ｆ3Rは第３のレンズ群Ｃの像側レンズ成分の焦点距離である。
【請求項４０】  以下の条件式（９Ｃ）を満足することを特徴とする請求項３５記載のズームレンズ。
（9C）    ０．６＜Ｒ31R ／Ｒ31F ＜１．０
ただし、ただし、Ｒ31F 、Ｒ32R はそれぞれ第３のレンズ群Ｃの物体側レンズ成分の最物体側面、最像側面の光軸上の曲率半径である。
【請求項４１】  請求項４０記載のズームレンズと、その像側に配された電子撮像素子とを有し、以下の条件式（１０Ｃ）、（１１Ｃ）を満足することを特徴とする電子撮像装置。
（10C ）  −１．６＜Ｌ／Ｒ32C ＜−０．４
（11C ）  ２０＜ν32F −ν32R 
ただし、Ｒ32C は第３のレンズ群Ｃの像側レンズ成分の接合面の光軸上における曲率半径、Ｌは使用する電子撮像素子の有効撮像領域の対角長、ν32F 、 ν32R はそれぞれ第３のレンズ群Ｃの像側レンズ成分の正レンズ、負レンズの媒質のｄ線基準でのアッベ数である。
【請求項４２】  広角端画角が５５°以上を有することを特徴とする請求項４１記載の電子撮像装置。
【請求項４３】  請求項４０記載のズームレンズと、その像側に配された電子撮像素子とを有し、以下の条件式（１２Ｃ）、（１３Ｃ）を満足することを特徴とする電子撮像装置。
（12C ）  −１．５＜（Ｒ32F ＋Ｒ32R ）／（Ｒ32F −Ｒ32R ）＜０．２
（13C ）  ０．０５＜Ｌ／ｆ3R＜０．５
ただし、Ｒ32F 、Ｒ32R はそれぞれ第３のレンズ群Ｃの像側レンズ成分の最物体側面、最像側面の光軸上曲率半径、Ｌは電子撮像素子の有効撮像領域の対角長、ｆ3Rは第３のレンズ群Ｃの像側レンズ成分の焦点距離である。
【請求項４４】  前記移動レンズ群Ｂが、物体側から順に、前記正レンズである物体側レンズ成分と前記接合された接合レンズである像側レンズ成分からなるか、あるいは、物体側から順に、前記接合された接合レンズである物体側レンズ成分と前記正レンズである像側レンズ成分とからなることを特徴とする請求項４記載のズームレンズ。
【請求項４５】  以下の条件式（１４）を満足することを特徴とする請求項４４記載のズームレンズ。
（14）    ０．６＜Ｒ21R ／Ｒ21F ＜１．２
ただし、Ｒ21F 、Ｒ21R はそれぞれ移動レンズ群Ｂの物体側レンズ成分における最物体側面、最像側面の光軸上の曲率半径である。
【請求項４６】  請求項４５記載のズームレンズと、その像側に配された電子撮像素子とを有し、前記物体側レンズ成分が前記接合された接合レンズであり、以下の条件式（１５）、（１６）を満足することを特徴とする電子撮像装置。
（15）    ０．３＜Ｌ／Ｒ21C ＜１．６
（16）    １０＜ν21F −ν21R 
ただし、Ｒ21C は移動レンズ群Ｂの物体側レンズ成分における接合面の光軸上の曲率半径、Ｌは電子撮像素子の有効撮像領域の対角長、ν21F 、ν21R はそれぞれ移動レンズ群Ｂの物体側レンズ成分における正レンズ、負レンズの媒質のｄ線基準でのアッベ数である。
【請求項４７】  広角端画角が５５°以上を有することを特徴とする請求項４６記載の電子撮像装置。
【請求項４８】  請求項４５記載のズームレンズと、その像側に配された電子撮像素子とを有し、以下の条件式（１７）、（１８）を満足することを特徴とする電子撮像装置。
（17）    −５．０＜（Ｒ22F ＋Ｒ22R ）／（Ｒ22F −Ｒ22R ）＜０．７
（18）    ０．１＜Ｌ／ｆ2R＜１．０
ただし、Ｒ22F 、Ｒ22R はそれぞれ移動レンズ群Ｂの像側レンズ成分における最物体側面、最像側面の光軸上の曲率半径、Ｌは電子撮像素子の有効撮像領域の対角長、ｆ2Rは移動レンズ群Ｂの像側レンズ成分の焦点距離である。
【請求項４９】  前記第３のレンズ群Ｃが、物体側から順に、前記正レンズである物体側レンズ成分と前記接合された接合レンズである像側レンズ成分からなるか、あるいは、物体側から順に、前記接合された接合レンズである物体側レンズ成分と前記正レンズである像側レンズ成分とからなることを特徴とする請求項９記載のズームレンズ。
【請求項５０】  以下の条件式（１４Ｃ）を満足することを特徴とする請求項４９記載のズームレンズ。
（14C ）  ０．６＜Ｒ31R ／Ｒ31F ＜１．２
ただし、Ｒ31F 、Ｒ31R はそれぞれ第３のレンズ群Ｃの物体側レンズ成分における最物体側面、最像側面の光軸上の曲率半径である。
【請求項５１】  請求項４９記載のズームレンズと、その像側に配された電子撮像素子とを有し、前記物体側レンズ成分が前記接合された接合レンズであり、以下の条件式（１５Ｃ）、（１６Ｃ）を満足することを特徴とする電子撮像装置。
（15C ）  ０．３＜Ｌ／Ｒ31C ＜１．６
（16C ）  １０＜ν31F −ν31R 
ただし、Ｒ31C は第３のレンズ群Ｃの物体側レンズ成分における接合面の光軸上の曲率半径、Ｌは電子撮像素子の有効撮像領域の対角長、ν31F 、ν31R はそれぞれ第３のレンズ群Ｃの物体側レンズ成分における正レンズ、負レンズの媒質のｄ線基準でのアッベ数である。
【請求項５２】  広角端画角が５５°以上を有することを特徴とする請求項５１記載の電子撮像装置。
【請求項５３】  請求項５０記載のズームレンズと、その像側に配された電子撮像素子とを有し、以下の条件式（１７Ｃ）、（１８Ｃ）を満足することを特徴とする電子撮像装置。
（17C ）  −５．０＜（Ｒ32F ＋Ｒ32R ）／（Ｒ32F −Ｒ32R ）＜０．７
（18C ）  ０．１＜Ｌ／ｆ3R＜１．０
ただし、Ｒ32F 、Ｒ32R はそれぞれ第３のレンズ群Ｃの像側レンズ成分における最物体側面、最像側面の光軸上の曲率半径、Ｌは電子撮像素子の有効撮像領域の対角長、ｆ3Rは第３のレンズ群Ｃの像側レンズ成分の焦点距離である。
【請求項５４】  前記移動レンズ群Ｂよりも像側に、移動にて合焦動作を行うレンズ群を有することを特徴とする請求項１から１０の何れか１項記載のズームレンズ。
【請求項５５】  以下の条件（１９）を満足することを特徴とする請求項１１記載のズームレンズ。
（19）    ０．１＜ＤFT／ｆT ＜１．０
ただし、ＤFTは望遠端における無限遠物点合焦時の移動レンズ群Ｂから第３のレンズ群Ｃまでの光軸上空気間隔、ｆT は望遠端での無限遠物点合焦時のズームレンズ全系の焦点距離である。
【請求項５６】  請求項５から１２の何れか１項記載のズームレンズと、その像側に配された電子撮像素子を有し、以下の条件式（２０）を満足することを特徴とする電子撮像装置。
（20）    −０．４＜Ｌ／ｆC ＜０．８
ただし、ｆC は第３のレンズ群Ｃの焦点距離、Ｌは電子撮像素子の有効撮像領域の対角長である。
【請求項５７】  以下の条件（２１）を満足することを特徴とする請求項５から１２の何れか１項記載のズームレンズ。
（21）    ０．０＜Ｍ3 ／Ｍ2 ＜１．６
ただし、Ｍ2 、Ｍ3 は移動レンズ群Ｂ、第３のレンズ群Ｃのそれぞれの無限遠物点合焦時における広角端に対する望遠端での移動量であり、像側への移動を正とする。
【請求項５８】  請求項１３又は１４記載のズームレンズとその像側に配した電子撮像素子とを有し、以下の条件式（２２）を満足することを特徴とする電子撮像装置。
（22）    ０．０＜Ｌ／ｆD ＜０．７
ただし、ｆD は第４のレンズ群Ｄの焦点距離、Ｌは電子撮像素子の有効撮像領域の対角長である。
【請求項５９】  請求項５から１２の何れか１項記載のズームレンズとその像側に配した電子撮像素子とを有し、前記ズームレンズが以下の条件式（２２）を満足する第４のレンズ群Ｄを前記第３のレンズ群Ｃよりも像側に配したことを特徴とする電子撮像装置。
（22）    ０．０＜Ｌ／ｆD ＜０．７
ただし、ｆD は第４のレンズ群Ｄの焦点距離、Ｌは電子撮像素子の有効撮像領域の対角長である。
【請求項６０】  変倍又は合焦動作時に移動する全てのレンズ群に対して物体側に光路を折り曲げる反射のための反射光学素子を配したことを特徴とする請求項１から１５の何れか１項記載のズームレンズ。
【請求項６１】  前記変倍時固定のレンズ群Ａが、ズームレンズ中で最も物体側に位置することを特徴とする請求項１から１５の何れか１項記載のズームレンズ。
【請求項６２】  前記変倍時固定レンズ群Ａは、物体側から順に、物体側副群Ａ１と、前記反射光学素子と、像側副群Ａ２とからなることを特徴とする請求項１５又は６１記載のズームレンズ。
【請求項６３】  請求項２２又は６２の何れか１項記載のズームレンズとその像側に配された電子撮像素子とを有し、以下の条件式（２３）を満足することを特徴とする電子撮像装置。
（23）    ０．８＜ｄ／Ｌ＜２．０
ただし、ｄは変倍時固定のレンズ群Ａにおける反射光学素子の反射面の直前の屈折力を持つ屈折面から反射面の直後の屈折力を持つ屈折面までの空気換算長、Ｌは電子撮像素子の有効撮像領域の対角長である。
【請求項６４】  前記反射光学素子の反射面に入射する入射光軸及び反射後の反射光軸を含む面の方向での画角が２２°乃至２８°であり、かつ、以下の条件（２３−１）を満足することを特徴とする請求項６３記載の電子撮像装置。
（23-1）    １．１＜ｄ／Ｌ＜１．７
【請求項６５】  前記反射光学素子の反射面に入射する入射光軸及び反射後の反射光軸を含む面の方向での画角が１６°乃至２２°であり、かつ、以下の条件（２３−２）を満足することを特徴とする請求項６３記載の電子撮像装置。
（23-2）    １．２＜ｄ／Ｌ＜１．８
【請求項６６】  前記反射光学素子が以下の条件（２４）を満足するプリズムにて構成されていることを特徴とする請求項１５、２２、６０、６２の何れか１項記載のズームレンズ。
（24）    １．５＜ｎpri 
ただし、ｎpri はプリズムのｄ線に対する媒質の屈折率である。
【請求項６７】  前記反射光学素子が以下の条件（２４）を満足するプリズムにて構成されていることを特徴とする請求項６３、６４、６５の何れか１項記載の電子撮像装置。
（24）    １．５＜ｎpri 
ただし、ｎpri はプリズムのｄ線に対する媒質の屈折率である。
【請求項６８】  前記変倍時固定レンズ群Ａにおける像側副群Ａ２が、物体側より順に、負レンズ、正レンズの２枚のレンズからなることを特徴とする請求項２２又は６２の何れか１項記載のズームレンズ。
【請求項６９】  請求項２２、６２又は６８の何れか１項記載のズームレンズとその像側に配された電子撮像素子を有し、前記ズームレンズが以下の条件式（２５）を満足することを特徴とする電子撮像装置。
（25）    −０．５＜Ｌ／ｆ12＜０
ただし、Ｌは電子撮像素子の有効撮像領域の対角長、ｆ12は変倍時固定レンズ群Ａの像側副群Ａ２の焦点距離である。
【請求項７０】  前記変倍時固定レンズ群の物体側副群Ａ１が、物体側に凸面を向けた負レンズ１枚のみからなることを特徴とする請求項２２又は６２記載のズームレンズ。
【請求項７１】  以下の条件式（２６）を満足することを特徴とする請求項７０記載のズームレンズ。
（26）    ０＜ｆ11／ｆ12＜１．６
ただし、ｆ11、ｆ12はそれぞれ変倍時固定レンズ群Ａの物体側副群Ａ１、像側副群Ａ２の焦点距離である。
【請求項７２】  前記第３のレンズ群Ｃが１枚の単レンズからなることを特徴とする請求項５記載のズームレンズ。
【請求項７３】  前記第３のレンズ群Ｃは広角端よりも望遠端で物体側に移動することを特徴とする請求項１から２２の何れか１項記載のズームレンズ。
【請求項７４】  以下の条件式（２７）を満足することを特徴とする請求項７３記載のズームレンズ。
（27）    ０．８＜−βRt＜２．１
ただし、βRtは無限遠物点合焦時の望遠端における移動レンズ群Ｂ以降の合成倍率である。
【請求項７５】  請求項１から２７、３１、３５、３６、４０、４４、４８、４９、５０、５４、５５、５７、６０から６２、６６、６８、７０から７４の何れか１項記載のズームレンズと、その像側に配された電子撮像素子とを備えた電子撮像装置。